(57)【要約】【課題】複数の踏み板を備えた脚立であって、軽くて持ち運びやすく、しかも安定し、後方に障害物があっても起立することが出来る簡易式脚立の提供。【解決手段】脚立は概略Ｌ形をしたフレーム１の両傾斜支柱４，４にはブラケット６，６・・を所定の間隔をおいて固定すると共に該ブラケット６，６・・を介して踏み板２，２・・を水平に取付け、両傾斜支柱４，４の上部５は凸状に湾曲して連続し、そして両傾斜支柱４，４とコーナー部９，９を介して連続して脚部３，３が水平に延び、該脚部３，３の両端には脚１０ａ，１０ｂ・・を設けると共に、コーナー部側の脚１０ｂ，１０ｂに近接してキャスター１１，１１を取付けている。【選択図】    図１
2007100375.tif 000002
【特許請求の範囲】
【請求項１】
複数の踏み板を備えた脚立において、該脚立は概略Ｌ形をして２本の傾斜支柱と２本の脚部を備えて構成したフレームを有し、上部を後方へ倒した両傾斜支柱にはブラケットを所定の間隔をおいて固定すると共に該ブラケットを介して踏み板を水平に取付け、両傾斜支柱の上部は凸状に湾曲して連続し、そして両傾斜支柱とコーナー部を間にして連続して設けた脚部は後方を外側へ広げた状態で水平に延び、該脚部の両端には脚を設けると共に、コーナー部側の脚に近接してキャスターを取付け、該キャスター下端を脚より僅かに高くしたことを特徴とする簡易式脚立。
【請求項２】
上記フレームを連続した１本のパイプを曲げ成形して製作した請求項１記載の簡易式脚立。
【請求項３】
上記フレームの傾斜支柱と脚部の間に形成するコーナー部には内部に細いパイプ又は芯金を嵌めて補強した請求項１、又は請求項２記載の簡易式脚立。
【発明の詳細な説明】
【技術分野】
【０００１】
本発明は軽くて手軽に持ち運びすることが出来ると共に安定して起立する簡易式の脚立に関するものである。
【背景技術】
【０００２】
高所に物を置いたり、又は高所に在る物を取除いたりする場合には、一般に脚立が使用され、人は該脚立に載って作業する。また、手が届かない高い所の清掃作業を行う際にも脚立が一般的に用いられるなど、各家庭には少なくとも１脚は保管されている。勿論、高所へ上がる手段として脚立の他にハシゴを使用する場合も多いが、高所での作業となればハシゴより脚立の方が安定することでその利用価値は高い。
【０００３】
ところで、脚立の形態は色々あるが、基本的には複数段の踏み板を有し、該踏み板に載って高所へ上がることが出来るように成っており、しかも該踏み板に載って上がった際に転倒しないように安定する支持構造と成っている。図５は従来から多用されている一般的な脚立である。２本の脚体(イ)、(イ)は下方に向いて広がり逆Ｖ形を成しており、該脚体(イ)、(イ)はその上端に設けた台(ロ)が揺動自在に連結している。
【０００４】
そして、各脚体(イ)、(イ)は２本の縦桟(ハ)、(ハ)に踏み板(ニ)、(ニ)・・を水平に取付けている。従って、これら踏み板(ニ)、(ニ)・・に足を掛けて適当な高さまで上がることができる訳であるが、この形式の脚立に取付けている上記踏み板(ニ)は細い棒材であって、その為に足の支えが少なくて安定性に欠け、足を踏み外したり、時には作業中に落下してしまうことがある。又、起立した状態であっても安定性に欠ける場合が多い。
【０００５】
一方、該脚立は同図から明らかなように、台(ロ)を通過する中立軸を中心として左右対称を成している為に、例えば台(ロ)の位置が脚体(イ)下端の位置から距離Ｌだけズレてしまうことになる。この位置ズレが使用用途によっては不都合となる場合が発生し、壁面に接した状態で使用することは出来ない。又、台(ロ)は小さくてこの上で作業するには危険が伴うなどの問題もある。
【０００６】
出願人は「折畳み式脚立」に関して以前に特許出願を行っている(特開平９−２１２８５号、特開平１０−１６９３４４号)。特開平９−２１２８５号に係る「折畳み式脚立」は、平行四辺形リンク体で構成した折り畳み式階段と、その上端に台を備えた脚体を組み合わせたものであり、折畳み式階段の上端台と脚体の上端台を同じ高さとして互いに屈曲出来るように連結し、又脚体には伸縮可能な脚を取付けている。
【０００７】
特開平１０−１６９３４４号に係る「折畳み式脚立」は、両側の平行四辺形リンク体の間には複数の踏み板を取付けたハシゴと、該ハシゴを支える脚体から成り、脚体の上端支持棒は上桟に揺動可能に設けたアームによって上桟下縁に形成した嵌合溝に嵌合するようにしている。
【０００８】
これら、折畳み式脚立は収納に際して折畳むことが可能である点は便利であるが、折畳み機構を備えることで構造は複雑・頑丈になり、その重量は比較的重くなる。又、脚体が後方に存在することで該折畳み式脚立を起立させる際には、図５に示した脚立の場合と同じように障害に成る場合も少なくない。
【特許文献１】特開平９−２１２８５号に係る「折畳み式脚立」
【特許文献２】特開平１０−１６９３４４号に係る「折畳み式脚立」
【発明の開示】
【発明が解決しようとする課題】
【０００９】
このように、従来の脚立には上記のごとき問題がある。本発明が解決しようとする課題はこの問題点であり、軽くて持ち運び易く、しかも背後に障害物があっても邪魔になることなく安定して起立することが出来る簡易式脚立を提供する。
【課題を解決するための手段】
【００１０】
本発明に係る簡易式脚立は、その側面から見たフレーム形状が概略Ｌ形とし、脚部と傾斜支柱を有している。このフレームは左右両側に設けられ、上部においては連結し、該上部は滑らかな凸形状に湾曲している。そして、上部が後方へ傾いた両傾斜支柱には複数の踏み板が掛架して水平に取付けられ、該踏み板に足を掛けて上がることが出来る。
【００１１】
脚部の両端部には脚が取着されて、踏み板を取付けた傾斜支柱を支え、しかも正面側脚に近接してキャスターを設けている。又、両脚部は後方側が広がるように両側へ延びている。そして、概略Ｌ形のフレームをした本発明の簡易式脚立は、脚部と傾斜支柱との間に大きな空間が形成され、脚部と傾斜支柱の間には滑らかに湾曲したコーナー部を有している。ここで、該コーナー部は必要に応じて補強がされる。
【発明の効果】
【００１２】
本発明の簡易式脚立は概略Ｌ形フレームの両傾斜支柱に跨って複数枚の踏み板が取付けられたものであり、そして、後方へ延びる両脚部を備えている。従って、該脚立は安定し、上段の踏み板に上がって安心して作業することが出来る。しかし、フレームの上部は足を掛けることを防止する為に、凸状に湾曲した形状をしている。
【００１３】
一方、この脚立のフレームは概略Ｌ形をしている為に、背後に障害物がある場合には、該障害物が背後に形成している空間に入ることが出来る為に、障害物が邪魔になることなく脚立を起立することが可能と成る。又、脚部は後方側を外方向へ拡大している為に、起立する脚立が安定すると共に複数の脚立を重ね合して収納することも可能と成る。
【実施例】
【００１４】
図１は本発明に係る簡易式脚立を示す実施例である。同図の１はフレーム、２，２・・は踏み板を表し、該フレーム１は１本のパイプを曲げ成形して製作され、脚部３，３と傾斜支柱４，４を有し、両傾斜支柱４，４の上部５は凸状に湾曲して繋がっている。両傾斜支柱４，４は一定間隔をおいて互いに平行を成し、そして両傾斜支柱４，４に跨って上記踏み板２，２・・が取付けられている。
【００１５】
傾斜支柱４，４にはブラケット６，６がネジ止めされ、このブラケット６，６に踏み板２が水平に取着されている。２本の傾斜支柱４，４はその上部５にて繋がれているが、ブラケット６，６・・を介して踏み板２，２・・を取付けることで、全体の強度・剛性は高まり、ステップとしての強度が備わる。ブラケット６は概略Ｌ形を成して、その基部７の両端が傾斜支柱４にネジ止めにて固定され、基部７から水平に延びるアーム８には踏み板２がネジ止めされている。ここで、上記フレーム１の上部５を滑らかな凸状かすることで、該上部５に足を掛けることがないように考慮している。
【００１６】
同図に示す脚立の各踏み板２，２・・は床面から２５０ｍｍ、５００ｍｍ、７５０ｍｍの高さに設けられ、比較的コンパクトな簡易式の脚立を構成している。勿論、上記踏み板２，２・・の高さ寸法はあくまでも１具体例に過ぎない。そして、２本の脚部３，３は傾斜支柱４，４と連続しており、滑らかに湾曲したコーナー部９，９を設けて水平に延びている。しかも、図２に平面図を示すように、両脚部３，３の間隔は後方側を広くするように傾斜している。
【００１７】
該脚立は、後方を外方向へ広げて延びる２本の水平脚部３，３は、複数枚の踏み板２，２・・を取付けた傾斜支柱４，４が転倒しないように構成している。ここで、傾斜支柱４，４と脚部３，３を繋ぐ湾曲コーナー部９，９には、踏み板２に作用する荷重が曲げモーメントとして働く為に、該コーナー部９，９には該モーメントに耐え得る補強が行われている。
【００１８】
勿論、フレーム１を構成するパイプを太くしたり、引っ張り強度の高い材質で構成するパイプを使用するならば、特別な補強は必要ないが、持ち運びに便利な脚立として比較的細いアルミ合金製のパイプを使用するのであれば、該コーナー部９，９に補強が必要となる。該補強方法は色々ある為に限定はしないが、例えば、コーナー部９，９の内部に細いパイプを嵌合し、この状態でフレーム１を曲げ成形することで丈夫なフレーム１を構成することが可能と成る。
【００１９】
そして水平に延びる脚部３，３の両端には脚ａ，１０１０ｂ・・が取着され、床面に凹凸がある為に脚立がガタ付く場合には、コーナー部９，９側の脚１０ｂ，１０ｂの高さを調整可能な構造とすることも出来る。又、脚１０ｂ，１０ｂに近接してキャスター１１，１１が取付けられている。該キャスター１１と脚１０ｂとの関係は図３に示しているように、キャスター１１の下端が僅かな高さＨだけ高くなっている。
【００２０】
従って、脚立が起立する場合、両脚部３，３は脚１０ａ，１０ｂ・・が床面に当って支持される。しかし、フレーム１の上部５に手を掛けて持ち上げるならば、脚部３，３の後方が上がって傾斜し、キャスター１１，１１が床面に接する。従って、脚立全体を持ち上げることなく、キャスター１１，１１を転がすことで移動することを可能としている。
【００２１】
ところで、本発明の脚立は概略  形フレームの傾斜支柱４，４に踏み板２，２・・を取付けた形態であるために、水平に延びる脚部３，３との間には大きな空間１２が形成されている。従って、該空間１２の位置に障害物が存在するような場合にも、何ら支障なく脚立を起立させることが出来る。
【００２２】
図４は３脚を重ね合わせて収納した状態を表しているが、両脚部３，３は後方が大きくなるように広がっている為に、脚部３，３の間に別の脚立の脚部３，３を挿入して重ね合わせることが可能と成る。図２に示すように実施例で示した脚立の脚部３，３は後方外側へ傾斜して延びているが、中間部にて段差を形成することで外側へ拡大する形状とした脚部３，３とすることも出来る。
【図面の簡単な説明】
【００２３】
【図１】本発明に係る簡易式脚立を示す実施例。
【図２】本発明の簡易式脚立の平面図。
【図３】本発明の簡易式脚立の側面図。
【図４】簡易式脚立を重ね合わせて収納した場合。
【図５】従来の一般的な脚立。
【符号の説明】
【００２４】
１  フレーム
２  踏み板
３  脚部
４  傾斜支柱
５  上部
６  ブラケット
７  基部
８  アーム
９  コーナー部
10  脚
11  キャスター
12  空間
【図１】
2007100375.tif 000003
【図２】
2007100375.tif 000004
【図３】
2007100375.tif 000005
【図４】
2007100375.tif 000006
【図５】
2007100375.tif 000007